(57)【要約】【課題】部品点数を削減できる賞球装置及び遊技機を提供する。【解決手段】払出通路１０７Ａ、１０７Ｂの下端に払出装置固定レバー１３０を移動可能に設ける。払出装置固定レバー１３０を矢印ＯＵＴ方向へスライドした場合、払出通路１０７Ａ、１０７Ｂは開通される。同時に、ストッパーリブ１７０とスリット溝１３４とが係合し、払出装置６２がパチンコ機１０に固定される。一方、払出装置固定レバー１３０を矢印ＩＮ方向へスライドした場合、払出通路１０７Ａ、１０７Ｂは閉塞される。同時に、ストッパーリブ１７０とスリット溝１３４との係合が解除され、払出装置６２がパチンコ機１０から取り外される。このように、払出装置固定レバー１３０のスライドにより、払出通路１０７Ａ、１０７Ｂの開閉と払出装置６２の固定、解除を同時に行える。【選択図】図９
2008086442.tif 000002
【特許請求の範囲】
【請求項１】
遊技球が貯留された貯留部から該遊技球を流下させる払出通路と、
前記払出通路の出口に着脱可能に設けられ、該払出通路から落下した前記遊技球を払い出し又は払い出しを停止させる払出装置と、
前記払出通路の出口への前記遊技球の流下方向と交差する方向へ移動可能に設けられ、一方向に移動して前記払出通路を開放して前記遊技球を流下させるとともに前記払出装置をロックし、他方向に移動して前記払出通路の出口からの前記遊技球の流下を阻止するとともに前記払出装置のロックを解除する移動部材と、
を備えたことを特徴とする賞球装置。
【請求項２】
前記移動部材が溝部を有し、前記払出装置が前記溝部と係合可能な突部を有して、前記移動部材を前記一方向へ移動させ、前記溝部と前記突部とを係合させることにより前記払出装置をロックすることを特徴とする請求項１に記載の賞球装置。
【請求項３】
前記移動部材が、前記出口からの前記遊技球の流下を可能とする凹部と、前記出口に前記遊技球を停留させる凸部とを有することを特徴とする請求項１又は請求項２に記載の賞球装置。
【請求項４】
前記移動部材の前記凸部が突出している方向の前記払出通路の通路壁は、前記移動部材が取り付けられた前記払出通路の通路壁より短いことを特徴とする請求項３に記載の賞球装置。
【請求項５】
請求項１から請求項４のいずれか１項に記載の賞球装置を備えたことを特徴とする遊技機。
【発明の詳細な説明】
【技術分野】
【０００１】
本発明は、遊技球が払い出される払出通路に対して着脱可能とされ、払出通路を通って流下された遊技球を払い出し又は停止させる払出装置を備えた賞球装置及び遊技機に関する。
【背景技術】
【０００２】
パチンコ機等の遊技機では、払出通路を流下した貸し球や賞球等の遊技球を払い出し、又は払い出しを停止させる払出装置を備えた賞球装置が使用されている。
【０００３】
ここで、払出装置の一例として、遊技球が流下する複数の供給通路の下端部に配置された回転体の回転により遊技球を１個ずつ排出通路へ排出する払出装置がある。（例えば、特許文献１参照）。
【特許文献１】特開２０００−１３５３５６号公報
【発明の開示】
【発明が解決しようとする課題】
【０００４】
しかしながら、特許文献１の払出装置は、メンテナンスのために遊技機から取り外し、又は、メンテナンス後に遊技機に取り付ける場合に、供給通路の内部に遊技球を留めておくためのストッパー部材と、払出装置を取り付けるための取付部材が別々に必要となり、遊技機としての部品点数の削減が困難であった。
【０００５】
本発明は上記事実を考慮して、部品点数を削減できる賞球装置及び遊技機を提供することを目的とする。
【課題を解決するための手段】
【０００６】
本発明の請求項１に係る賞球装置は、遊技球が貯留された貯留部から該遊技球を流下させる払出通路と、前記払出通路の出口に着脱可能に設けられ、該払出通路から落下した前記遊技球を払い出し又は払い出しを停止させる払出装置と、前記払出通路の出口への前記遊技球の流下方向と交差する方向へ移動可能に設けられ、一方向に移動して前記払出通路を開放して前記遊技球を流下させるとともに前記払出装置をロックし、他方向に移動して前記払出通路の出口からの前記遊技球の流下を阻止するとともに前記払出装置のロックを解除する移動部材と、を備えたことを特徴としている。
【０００７】
上記構成によれば、移動部材が、一方向に移動して払出通路を開放するとともに払出装置をロックし、他方向に移動して前記払出通路を閉止するとともに払出装置のロックを解除するので、払出通路の開閉を行う部材と、払出装置のロック又はロック解除を行う部材とを別々に設ける必要がなくなり、賞球装置の部品点数を削減できる。
【０００８】
本発明の請求項２に係る賞球装置は、前記移動部材が溝部を有し、前記払出装置が前記溝部と係合可能な突部を有して、前記移動部材を前記一方向へ移動させ、前記溝部と前記突部とを係合させることにより前記払出装置をロックすることを特徴としている。
【０００９】
上記構成によれば、移動部材の溝部と払出装置の突部との係合によって払出装置がロックされるので、簡易な構成で払出装置をロックできる。
【００１０】
本発明の請求項３に係る賞球装置は、前記移動部材が、前記出口からの前記遊技球の流下を可能とする凹部と、前記出口に前記遊技球を停留させる凸部とを有することを特徴としている。
【００１１】
上記構成によれば、移動部材を移動させ、払出通路上に凹部が位置したときは遊技球が流下し、凸部が位置したときは凸部によって遊技球が停留されるので、簡易な構成で遊技球の流下又は停留を行える。
【００１２】
本発明の請求項４に係る賞球装置は、前記移動部材の前記凸部が突出している方向の前記払出通路の通路壁は、前記移動部材が取り付けられた前記払出通路の通路壁より短いことを特徴としている。
【００１３】
上記構成によれば、移動部材を移動させて払出装置のロックを解除するときに、移動部材の凸部が突出している方向の払出通路の通路壁が、移動部材が取り付けられた払出通路の通路壁より短いため、払出通路の下端に溜まっている遊技球の移動可能範囲が広がるので、遊技球による移動部材への負荷が低減され、移動部材の移動が容易となる。
【００１４】
本発明の請求項５に係る遊技機は、請求項１から請求項４のいずれか１項に記載の賞球装置を備えたことを特徴としている。
【００１５】
上記構成によれば、賞球装置の部品点数を削減できるので、遊技機全体での部品点数を削減でき、低コストとなる。
【００１６】
また、簡易な構成により払出装置を着脱できるので、遊技機のメンテナンスが容易となる。
【発明の効果】
【００１７】
本発明は、上記構成としたので、賞球装置の部品点数を削減できる。
【発明を実施するための最良の形態】
【００１８】
以下、本発明の実施形態に係る賞球装置及び遊技機について図面を参照して説明する。
【００１９】
（パチンコ機の構成）
図１及び図２には、パチンコ機１０が示されている。
【００２０】
図１及び図２に示すように、パチンコ機１０は、パチンコ機１０の外郭を構成するとともにパチンコホールの島設備に設置される矩形状の外枠１２を備えている。
【００２１】
外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００２２】
内枠１４は、外枠１２の左上角部と下飾り１６の左上角部とに設けられた一対のヒンジ部１８、２０に、左側端部が軸支されて開閉可能に取り付けられている。
【００２３】
内枠１４の前面上部には、パチンコ機１０の前面上部を構成するガラス枠２２が配置されている。ガラス枠２２は、縦長略楕円形の窓部２４にガラス板２６が装着されるとともに、左側端部が内枠１４に軸支されて開閉可能に取り付けられている。
【００２４】
ガラス枠２２の裏面側となる内枠１４の前面上部には、矩形状の開口部１５が形成されている。この内枠１４の開口部１５には、遊技盤Ｇが着脱（交換）可能にセットされている。
【００２５】
遊技盤Ｇは、内枠１４に対して閉塞されたガラス枠２２によって覆われている。また、遊技盤Ｇの盤面上に設けられた遊技領域ＰＡが、パチンコ機１０の正面側から窓部２４のガラス板２６を通して視認可能とされている。
【００２６】
ガラス枠２２の前面で左右の両側端部には、遊技の進行に応じて点灯、消灯、及び点滅し照明による演出を行う複数のランプ２８が配設されている。また、ガラス枠２２の左上と右上の各角部近傍に、遊技の進行に応じて効果音をステレオ出力する中高音用のスピーカ３０Ｌ、３０Ｒが内蔵されている。
【００２７】
一方、内枠１４の前面下部には、パチンコ機１０の前面下部を構成する皿ユニット４０が配置されている。
【００２８】
皿ユニット４０は、皿ユニット４０の本体部を構成するベース４１の左側端部が、内枠１４に軸支されて開閉可能に取り付けられている。
【００２９】
ベース４１の前面上部には、パチンコ球を遊技盤Ｇへ向けて発射するために貯留して発射装置６０へ供給する上皿４２が突設されている。また、ベース４１の前面下部における上皿４２の左下には、上皿４２に貯留しきれないパチンコ球を貯留するための下皿４４が突設されている。
【００３０】
上皿４２は、底面が正面視にて右側から左側へ向けて下り傾斜している。上皿４２の底面の傾斜方向下流側には、上皿４２内に貯留されたパチンコ球を１列に整列して、ベース４１の裏面に取り付けられた球送り装置４５へ誘導する整列通路４６が設けられている。
【００３１】
ベース４１によって構成された上皿４２の奥壁面における右側端部には、内枠１４の裏面に設けられた払出装置６２（図３参照）から払い出された貸し球や賞球が排出される球排出口４８が形成されている。
【００３２】
下皿４４の奥壁面における右側端部には、上皿４２に貯留しきれないパチンコ球が排出される球排出口４９が形成されている。
【００３３】
ベース４１の前面右下部には、発射装置６０と電気的に接続されて打球の発射力（飛距離）を調整する発射ハンドル５４が取り付けられている。また、ベース４１の前面左下部には、下皿４４に隣接して灰皿５６が設けられている。さらに、ベース４１の前面略中央は矩形箱状に膨出しており、内部には、遊技の進行に応じて効果音を出力する重低音用のスピーカ（サブウーハ）５８が設けられている。
【００３４】
図２に示すように、ベース４１の裏面における略中央部には、上皿４２に貯留しきれないパチンコ球を下皿４４へ流下させる球通路７０が設けられている。
【００３５】
球通路７０は、上端部に通路入口７２が形成され、下端部に形成された通路出口は、球排出口４９と連通している。球通路７０よりも回転支軸に近い側には、球送り装置４５が取り付けられている。
【００３６】
一方、皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００３７】
貯球タンク７４は、上面が開口した箱型とされ、タンク底面が正面視にて左側から右側へ向けて下り傾斜している。
【００３８】
貯球タンク７４の底面の傾斜方向下流側となる右側の前面には、上皿４２の球排出口４８と連通したタンク出口７６が形成されている。また、貯球タンク７４の前面左側端部には、貯球タンク７４内のパチンコ球貯留量が満タンになった際にパチンコ球が溢れ出す、オーバーフロー部７８が形成されている。
【００３９】
図２及び図３に示すように、内枠１４の裏面における開放側（裏面視左側）の側端部には、内枠１４及びガラス枠２２を施錠するための施錠装置６４が取付けられている。
【００４０】
施錠装置６４の下側には、皿ユニット４０をロックするためのロック装置６８が取り付けられている。これにより、皿ユニット４０が内枠１４に閉塞された状態でロック装置６８でロックされ、ガラス枠２２が内枠１４に閉塞された状態で施錠装置６４で施錠されるようになっている。
【００４１】
施錠装置６４にはシリンダー錠６６が設けられており、シリンダー錠６６は、皿ユニット４０の前面右上に露出されている。
【００４２】
ここで、シリンダー錠６６の鍵孔に図示しない鍵を差し込んで開錠操作すると、外枠１２に施錠された内枠１４が開錠されて開放可能となる。また、内枠１４に施錠されたガラス枠２２が開錠されて開放可能となる。
【００４３】
さらに、ガラス枠２２を開放することで露出されるロック装置６８のロック解除レバー６９を操作すると、内枠１４にロックされていた皿ユニット４０がロック解除されて開放可能となる。
【００４４】
皿ユニット４０がロック装置６８によりロックされると、発射装置６０の前側に球送り装置４５が配置される。また、オーバーフロー部７８の前下側に球通路７０の通路入口７２が配置され、タンク出口７６及び球排出口４８を介して貯球タンク７４と上皿４２とが連通される。
【００４５】
図３に示すように、内枠１４の裏面における上部には、島設備から供給されたパチンコ球を貯留するための上タンク８０及び下タンク８２が設けられている。
【００４６】
内枠１４裏面の回転支軸側（裏面右側）の側端部には、上タンク８０及び下タンク８２に貯留されたパチンコ球を貯球タンク７４（図２参照）側へ流下させる上部球通路ユニット８４及び下部球通路ユニット８６が延設されている。
【００４７】
上部球通路ユニット８４と下部球通路ユニット８６の間には、パチンコ球を所定数ずつ払い出す払出装置６２が取り付けられている。また、下部球通路ユニット８６の下側には、発射装置６０が取付けられている。
【００４８】
発射装置６０の左側には、払出装置６２を制御してパチンコ球の払い出しを実行及び停止させる払出制御基板８８が設けられている。
【００４９】
払出制御基板８８は、払出停止制御と払出実行制御を実行可能に設けられている。
【００５０】
払出停止制御の場合、払出制御基板８８は、払出装置６２を駆動停止させてパチンコ球の払い出しを停止する。
【００５１】
一方、払出実行制御の場合、図１〜図３に示すように、払出制御基板８８は、払出装置６２を駆動させて、上タンク８０及び下タンク８２から上部球通路ユニット８４を流下し払出装置６２に誘導されたパチンコ球を、貸し球又は賞球として下部球通路ユニット８６へ払い出す。
【００５２】
そして、下部球通路ユニット８６を通り貯球タンク７４へ誘導されたパチンコ球は、貯球タンク７４内を上流側（左側）から下流側（右側）へ転動して球排出口４８から排出され、上皿４２に貯留される。
【００５３】
さらに、パチンコ球は上皿４２内を下流側（左側）へ流下しつつ整列通路４６により１列に整列され、遊技者の発射ハンドル５４の操作により、球送り装置４５により１球ずつ発射装置６０に送り込まれる。
【００５４】
発射装置６０に送り込まれたパチンコ球は、発射装置６０によって遊技盤Ｇの遊技領域ＰＡへ発射される（図２の矢印Ａ方向）。このパチンコ球が遊技領域ＰＡを自重落下する過程で入賞又は外れとなることにより、遊技盤Ｇにてパチンコ球を用いた遊技が行われる。
【００５５】
遊技の進行に伴い、大量のパチンコ球が賞球として払い出されるなどし、上皿４２が満タンになると、上皿４２に貯留しきれないパチンコ球は貯球タンク７４に貯留される。
【００５６】
さらに貯球タンク７４が満タンになると、パチンコ球はオーバーフロー部７８から溢れ出す。この貯球タンク７４から溢れ出したパチンコ球は、通路入口７２に落下して球通路７０を流下し、球排出口４９から排出されて下皿４４に貯留される。
【００５７】
また、遊技の終了時などに、上皿４２の前面左側に設けられた上皿用球抜きレバー５０を操作すると、整列通路４６の最下流部が開放して、上皿４２に貯留されたパチンコ球が球通路７０へ排出され下皿４４へ流下する。
【００５８】
さらに、下皿４４がパチンコ球で満タンになったときや遊技の終了時などに、下皿４４の前面下側に設けられた下皿用球抜きレバー５２を操作すると、下皿底面の一部が開放して、下皿４４に貯留されたパチンコ球が下皿４４の下方に配置された図示しない球箱へ排出される。
【００５９】
一方、内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００６０】
シャッター板９０、９２は、皿ユニット４０が閉塞されると各々下方へ移動して、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。
【００６１】
このシャッター板９０、９２によって、皿ユニット４０を開放した際に、貯球タンク７４及び上皿４２からパチンコ球が流出しないよう塞き止められる。
【００６２】
（払出機構の構成）
次に、パチンコ機１０の内枠１４の裏面に設けられたパチンコ球の払出機構について説明する。
【００６３】
図４〜図１０には、本実施形態に係る払出機構１００が示されている。
【００６４】
図４及び図５に示すように、払出機構１００に設けられた基板となる矩形状のベース板１０２の裏面左上端部には、前述した上タンク８０及び下タンク８２が取り付けられている。
【００６５】
下タンク８２の底面は、裏面視の左側から右側へ向けて下り傾斜しており、傾斜方向下流側がベース板１０２の裏面右側端部付近まで延出されている。この延出部の内部には、パチンコ機１０の前後方向に隣接する２本の球通路８３Ａ、８３Ｂが形成されている。
【００６６】
ベース板１０２の裏面右側端部の上側には、前述の上部球通路ユニット８４が取り付けられている、
上部球通路ユニット８４の上部には、球通路８３Ａ、８３Ｂに対応する図示しない２つの通路入口が形成されている。
【００６７】
図７に示すように、上部球通路ユニット８４の内部には、各通路入口に流入したパチンコ球を払出経路へ流下させる２条の流下通路１０４Ａ、１０４Ｂが設けられている。
【００６８】
流下通路１０４Ａ、１０４Ｂは、上部球通路ユニット８４内の上部側において、裏面から見たときに奥側、手前側に相互に隣接し、各々上方から下方へ向けてパチンコ機１０の幅方向である左右方向に蛇行するよう延設されている。
【００６９】
また、上部球通路ユニット８４内の下部側には、パチンコ球を払出経路へ流下させるための払出通路１０７Ａが左側に配置され、払出通路１０７Ｂが右側に配置されて、各々下方へ向け延設されている。
【００７０】
上部球通路ユニット８４の下面手前側には、この払出通路１０７Ａ、１０７Ｂを流下したパチンコ球が流出する２つの球払出通路出口１０６Ａ、１０６Ｂが左右方向に相互に隣接して形成されている。
【００７１】
上部球通路ユニット８４内の下部側には更に、流下通路１０４Ａ、１０４Ｂの手前側へ向けた蛇行部付近から分岐して、パチンコ球を排出経路へ流下させる２本の排出通路１０８Ａ、１０８Ｂが設けられている。
【００７２】
上部球通路ユニット８４の下面前部には、この排出通路１０８Ａ、１０８Ｂを流下したパチンコ球が流出する２つの球排出通路出口１１０Ａ、１１０Ｂが左右方向に相互に隣接して形成されている。
【００７３】
一方、流下通路１０４Ａ、１０４Ｂと排出通路１０８Ａ、１０８Ｂとの分岐部には、球抜きレバー１２０が配置されている。
【００７４】
球抜きレバー１２０は、流下通路１０４Ａ、１０４Ｂと排出通路１０８Ａ、１０８Ｂの分岐部において、矢印ＩＮ、ＯＵＴ方向へスライド可能に取り付けられており、操作部１２３が上部球通路ユニット８４の右側面から露出している。
【００７５】
矢印ＩＮ、ＯＵＴ方向は、パチンコ球ＰＢの流下方向と交差する方向となっている。また、球抜きレバー１２０をスルー部１２６Ｂの左右方向の幅Ｌの略半分移動させることにより、スロープ部１２４Ａ、１２４Ｂと、ストッパー部１２８Ａ、１２８Ｂの位置が変わり、パチンコ球ＰＢの払い出し又は排出が切換えられるようになっている。
【００７６】
なお、スルー部１２６Ｂの左右方向の幅Ｌは、流下通路１０４Ａ、１０４Ｂ、又は排出通路１０８Ａ、１０８Ｂの幅の半分の長さとなっている。
【００７７】
操作部１２３に対応する上部球通路ユニット８４の右側面部位には、ストッパー部材１２９が取り付けられており、球抜きレバー１２０の矢印ＯＵＴ方向へのスライドは、ストッパー部材１２９によって制限される。
【００７８】
一方、図５及び図６に示すように、上部球通路ユニット８４の下面には、払出装置固定レバー１３０が配置されている。
【００７９】
ここで、図８に示すように、払出装置固定レバー１３０は、レバー本体１３２の右側端部に操作部１３３が突設されており、操作部１３３の下端部には、左右方向に沿ったスリット溝１３４が形成されている。
【００８０】
レバー本体１３２の奥側には、左右方向を長手方向とした矩形状の２つの取付孔１３５Ａ、１３５Ｂが形成されており、レバー本体１３２の手前側には、２つのスルー部１３６Ａ、１３６Ｂが設けられている。
【００８１】
スルー部１３６Ａ、１３６Ｂは、上部球払出通路１０４Ａ、１０４Ｂの間隔と略同間隔で配置されており、凹円弧状に形成されている。スルー部１３６Ａとスルー部１３６Ｂの間には、ストッパー部１３８Ａが突設されており、スルー部１３６Ｂの右側には、ストッパー部１３８Ｂが突設されている。
【００８２】
払出装置固定レバー１３０は、取付孔１３５Ａ、１３５Ｂに下側から図示しないネジが各々挿通され、上部球通路ユニット８４の下端部で左右方向へスライド可能に取り付けられている。また、操作部１３３が上部球通路ユニット８４の下端部右側面から露出している。
【００８３】
図５に示すように、上部球通路ユニット８４の下端部において、払出装置固定レバー１３０の奥側に溝部１４０が設けられている。
【００８４】
溝部１４０は、縦断面が逆凹状とされ手前奥方向に沿って延設されている。ここで、払出装置固定レバー１３０が矢印ＯＵＴ方向（図８参照）へスライドされると、溝部１４０の手前側に操作部１３３が配置され、溝部１４０の手前側は閉塞される（図４参照）。
【００８５】
また、払出装置固定レバー１３０が矢印ＩＮ方向（図８参照）へスライドされると、溝部１４０の手前側に位置していた操作部１３３が左側へ退避し、溝部１４０の手前側は開放される。
【００８６】
上部球通路ユニット８４の下端に隣接する位置には、前述の払出装置６２が取付けられている。
【００８７】
払出装置６２の上部には、Ｌ字形状のストッパーリブ１７０と、溝部１４０に対応する断面突状の固定リブ１６８が設けられている。
【００８８】
図７に示すように、払出装置６２の上面手前側には、上部球通路ユニット８４の球払出通路出口１０６Ａ、１０６Ｂに対応する２つの球払出通路入口１４２Ａ、１４２Ｂが形成されている。また、払出装置６２の内部には、球払出通路入口１４２Ａ、１４２Ｂに流入したパチンコ球を払出経路へ流下させる２本の球払出通路１４４Ａ、１４４Ｂが設けられている。
【００８９】
ここで、図１０ａに示すように、払出通路１０７Ｂの側壁を構成する対向した通路壁２０２と通路壁２０４の鉛直方向の長さが異なっており、レバー本体１３２が突出している方向に位置する通路壁２０２の長さが、レバー本体１３２が設けられた通路壁２０４よりも短くなっている。
【００９０】
一方、払出装置６２における球払出通路１４４Ａ、１４４Ｂの側壁を構成する対向した流路壁２０６と流路壁２０８の鉛直方向の長さが異なっており、手前側（図１０の左側）に位置する流路壁２０６の方が奥側（図１０の右側）の流路壁２０８よりも長さＺだけ長くなっている。これにより、略水平方向に見たとき、通路壁２０４と流路壁２０６が重なり合う領域が存在する。
【００９１】
このように、通路壁２０２の下方側には流路壁２０６が位置し、通路２０４の下方側には流路壁２０８が位置して、互いに入り込んで配置されている。
【００９２】
図７に示すように、球払出通路１４４Ａ、１４４Ｂは、払出装置６２内の上部側では、左右方向に相互に隣接し、各々上方から下方へ向けて手前方向、奥方向に蛇行するよう延設されている。また、払出装置６２内の下部側に至ると、球払出通路１４４Ａ、１４４Ｂが合流して１本の球払出通路１４４Ｃとなっている。
【００９３】
球払出通路１４４Ｃは、下方へ向けて直線状に延設されている。払出装置６２の下端部には、球払出通路１４４Ｃを流下したパチンコ球が流出する球排出通路出口１４６が形成されている。
【００９４】
球払出通路１４４Ａと球払出通路１４４Ｂの合流部近傍には、スプロケット１５０が設けられている。
【００９５】
スプロケット１５０は、外周部に、球払出通路１４４Ａに対応する凹溝１５２Ａと、球払出通路１４４Ｂに対応する凹溝１５２Ｂが形成されている。また、払出装置６２内の右側端に配置されたステッピングモータ１５４（図４参照）の回転軸１５６に取り付けられて、外周部の一部が各通路内に臨むように配置されている。
【００９６】
また、払出装置６２の内部には、検出センサ１４８が設けられており、検出センサ１４８によって検出されたパチンコ球検出信号が、前述の払出制御基板８８（図３参照）へ出力される。このパチンコ球検出信号により、払出制御基板８８は、ステッピングモータ１５４へ駆動電力を供給し、スプロケット１５０の回転制御を行う。
【００９７】
一方、払出装置６２の奥側には、上部球通路ユニット８４の球排出通路出口１１０Ａ、１１０Ｂに対応する２つの球排出通路入口１６２Ａ、１６２Ｂと、球排出通路入口１６２Ａ、１６２Ｂに流入したパチンコ球を排出経路へ流下させる２本の球排出通路１６４Ａ、１６４Ｂが設けられている。
【００９８】
球排出通路１６４Ａ、１６４Ｂは、左右方向に相互に隣接し、各々上方から下方へ向けて延設されている。払出装置６２の下面前部には、この球排出通路１６４Ａ、１６４Ｂを流下したパチンコ球が流出する２つの球排出通路出口１６６Ａ、１６６Ｂが左右方向に相互に隣接して形成されている。
【００９９】
図５及び図６に示すように、払出装置６２の下側に下部球通路ユニット８６が取り付けられている。下部球通路ユニット８６は、ベース板１０２に複数本のネジ１７１によって取り付けられている。
【０１００】
下部球通路ユニット８６の上面手前側には、払出装置６２の球排出通路出口１４６（図７参照）に対応する球払出通路入口１７２と、球払出通路入口１７２に流入したパチンコ球を払出経路へ流下させる下部球払出通路１７４とが設けられている。
【０１０１】
下部球払出通路１７４は、前述した貯球タンク７４（図２参照）のタンク入口に接続されている。
【０１０２】
また、下部球通路ユニット８６の上面奥側には、払出装置６２の球排出通路出口１６６Ａ、１６６Ｂ（図７参照）に対応する２つの球排出通路入口１７８Ａ、１７８Ｂと、球排出通路入口１７８Ａ、１７８Ｂに流入したパチンコ球を排出経路へ流下させる２本の下部球排出通路１８０Ａ、１８０Ｂとが設けられている。
【０１０３】
下部球排出通路１８０Ａ、１８０Ｂは、左右方向に相互に隣接しており、下端部に球払出通路出口１８２Ａ、１８２Ｂが設けられている。
【０１０４】
次に、本実施形態の作用について説明する。
【０１０５】
まず、払出装置６２をパチンコ機１０に固定する場合について説明する。
【０１０６】
図８及び図９に示すように、払出装置固定レバー１３０の下方側に払出装置６２が配置されている。このとき、払出装置６２の上面にある固定リブ１６８と、上部球通路ユニット８４の溝部１４０（図５参照）が係合状態となっている。
【０１０７】
続いて、図８及び図９ｂに示すように、払出装置固定レバー１３０を矢印ＯＵＴ方向へスライドすると、払出通路１０７Ａ、１０７Ｂの下側にスルー部１３６Ａ、１３６Ｂが配置され、払出通路１０７Ａ、１０７Ｂは開通される。これにより、パチンコ球ＰＢは、払出通路１０７Ａ、１０７Ｂから球払出通路１４４Ａ、１４４Ｂへ流下する。
【０１０８】
また、これと同時にストッパーリブ１７０とスリット溝１３４とが係合し、払出装置６２がパチンコ機１０に固定される。
【０１０９】
ここで、図１０ｂに示すように、流路壁２０６が流路壁２０８よりも長さＺだけ長くなっているので、パチンコ球ＰＢは確実に球払出通路１４４Ａ、１４４Ｂへ流下する。
【０１１０】
次に、払出装置６２をパチンコ機１０から取り外す場合について説明する。
【０１１１】
図８及び図９ａに示すように、払出装置６２がパチンコ機１０に固定された状態において、払出装置固定レバー１３０を矢印ＩＮ方向へスライドすると、払出通路１０７Ａ、１０７Ｂの下側にストッパー部１３８Ａ、１３８Ｂが配置され、払出通路１０７Ａ、１０７Ｂは閉塞される。これにより、パチンコ球ＰＢは、払出通路１０７Ａ、１０７Ｂ内に保持される。
【０１１２】
また、これと同時にストッパーリブ１７０とスリット溝１３４との係合が解除され、払出装置６２がパチンコ機１０から取り外される。
【０１１３】
ここで、図１０ｃに示すように、払出装置６２は矢印Ｘ方向（手前側）に取り外されるので、レバー本体１３２のスライドに合わせて流路壁２０６が通路壁２０４から徐々に遠ざかり、パチンコ球ＰＢの移動可能領域が距離Ｌだけ広がる。
【０１１４】
これにより、パチンコ球ＰＢは、鉛直下方だけでなく略水平方向にも移動が可能となり、レバー本体１３２とパチンコ球ＰＢの接触面積が減少してレバー本体１３２とパチンコ球ＰＢとの干渉による負荷が低減され、払出装置固定レバー１３０の移動が容易となる。
【０１１５】
以上説明したように、本実施形態においては、払出装置固定レバー１３０が、一方向に移動して払出通路を開放するとともに払出装置６２をロックし、他方向に移動して払出通路を閉止するとともに払出装置６２のロックを解除するので、払出通路の開閉を行う部材と、払出装置６２のロック又はロック解除を行う部材とを別々に設ける必要がなくなり、払出機構１００の部品点数を削減できる。
【０１１６】
また、払出装置固定レバー１３０のスリット溝１３４と払出装置６２のストッパーリブ１７０との係合によって払出装置６２がロックされるので、簡易な構成で払出装置６２をロックできる。
【０１１７】
さらに、払出装置固定レバー１３０を移動させ、払出通路上にスルー部１３６Ａ、１３６Ｂが位置したときはパチンコ球が流下し、ストッパー部１３８Ａ、１３８Ｂが位置したときはストッパー部１３８Ａ、１３８Ｂによってパチンコ球が停留されるので、簡易な構成で遊技球の流下又は停留を行える。
【０１１８】
また、払出装置固定レバー１３０を移動させて払出装置６２のロックを解除するときに、流路壁２０６が通路壁２０４から離れ、払出通路１０７Ａ、１０７Ｂの下端に溜まっているパチンコ球の移動可能範囲が広がるので、パチンコ球による払出装置固定レバー１３０への負荷が低減され、払出装置固定レバー１３０の移動が容易となる。
【０１１９】
さらに、払出機構１００の部品点数を削減できるので、パチンコ機１０全体での部品点数を削減でき、低コストとなる。
【０１２０】
また、簡易な構成により払出装置６２を着脱できるので、パチンコ機１０のメンテナンスが容易となる。
【０１２１】
なお、本発明は上記の実施形態に限定されない。
【０１２２】
払出通路１０７Ａ、１０７Ｂの設置位置と排出通路１０８Ａ、１０８Ｂの設置位置は、どちらが手前側又は奥側にあってもよく、左右に配置されていてもよい。
【０１２３】
払出装置固定レバー１３０のスリット溝１３４の断面形状は、矩形状以外で多角形形状又は略円形形状としてもよい。
【０１２４】
払出装置固定レバー１３０の移動方向は、左右方向に限定されるものではなく、払出通路１０７Ａ、１０７Ｂ又は払出装置６２の形状、配置によっては、上下方向、又は斜め方向に移動するものであってもよい。
【図面の簡単な説明】
【０１２５】
【図１】本発明の実施形態に係るパチンコ機の斜視図である。
【図２】本発明の実施形態に係るパチンコ機のガラス枠及び皿ユニットが開放された状態を示す斜視図である。
【図３】本発明の実施形態に係るパチンコ機を裏面から見た斜視図である。
【図４】本発明の実施形態に係るパチンコ機の裏面に設けられた払出機構を示す斜視図である。
【図５】本発明の実施形態に係るパチンコ機の裏面に設けられた払出機構の分解状態を示す斜視図である。
【図６】本発明の実施形態に係るパチンコ機の払出機構を示す背面図である。
【図７】本発明の実施形態に係る上部球通路ユニットの正面図及び断面図である。
【図８】本発明の実施形態に係る払出装置固定レバーの斜視図である。
【図９】本発明の実施形態に係る払出装置固定レバーの移動状態を示す平面図である。
【図１０】本発明の実施形態に係る払出装置の取り外し直前の状態を示す部分断面図である。
【符号の説明】
【０１２６】
１０  パチンコ機（遊技機）
６２  払出装置（払出装置）
８０  上タンク（貯留部）
８２  下タンク（貯留部）
１００  払出機構（賞球装置）
１０７Ａ  払出通路（払出通路）
１０７Ｂ  払出通路（払出通路）
１３０  払出装置固定レバー（移動部材）
１３４  スリット溝（溝部）
１３６Ａ  スルー部（凹部）
１３６Ｂ  スルー部（凹部）
１３８Ａ  ストッパー部（凸部）
１３８Ｂ  ストッパー部（凸部）
１６８  固定リブ（突部）
２０２  側壁（通路壁）
２０４  側壁（通路壁）
ＰＢ  パチンコ球（遊技球）
【図１】
2008086442.tif 000003
【図２】
2008086442.tif 000004
【図３】
2008086442.tif 000005
【図４】
2008086442.tif 000006
【図５】
2008086442.tif 000007
【図６】
2008086442.tif 000008
【図７】
2008086442.tif 000009
【図８】
2008086442.tif 000010
【図９】
2008086442.tif 000011
【図１０】
2008086442.tif 000012